(57)【要約】【課題】要介護者に限らず一般の人であっても着用をする場合に袖に腕が通しやすいものとし、前かがみの姿勢の人が着用しても背中が突っ張ることなく、腕の動きも制約されることのないシャツを提供する。【解決手段】通常の袖繰り５ａの寸法より大きい寸法とし、袖底位置Ｐａを通常の袖底位置Ｐｂより前寄りにすると共に下寄りにした袖繰り３ａとし、この袖繰り３ａに対応するようにして袖３を取り付けたものとしている。さらに、前記袖３の袖繰り３ａの寸法を、通常の袖５の袖繰り５ａの寸法より５〜１０ｃｍ大きく形成したものとしている。また、袖繰り３ａの袖底位置Ｐａを、通常の袖繰り５ａの袖底位置Ｐｂより２〜４ｃｍ前寄りにすると共に２〜４ｃｍ下寄りにしたものとしている。【選択図】 図４
0003138400.tif 000002
【実用新案登録請求の範囲】
【請求項１】
通常の袖繰り（５ａ）の寸法より大きい寸法とし、袖底位置（Ｐａ）を通常の袖底位置（Ｐｂ）より前寄りにすると共に下寄りにした袖繰り（３ａ）とし、この袖繰り（３ａ）に対応するようにして袖（３）を取り付けたことを特徴とするシャツ。
【請求項２】
前記袖（３）の袖繰り（３ａ）の寸法を、通常の袖（５）の袖繰り（５ａ）の寸法より５〜１０ｃｍ大きく形成したことを特徴とする請求項１記載のシャツ。
【請求項３】
前記袖繰り（３ａ）の袖底位置（Ｐａ）を、通常の袖繰り（５ａ）の袖底位置（Ｐｂ）より２〜４ｃｍ前寄りにすると共に２〜４ｃｍ下寄りにしたことを特徴とする請求項１記載のシャツ。
【請求項４】
前記袖（３）の袖繰り（３ａ）の寸法を、通常の袖（５）の袖繰り（５ａ）の寸法より５〜１０ｃｍ大きく形成し、袖繰り（３ａ）の袖底位置（Ｐａ）を、通常の袖繰り（５ａ）の袖底位置（Ｐｂ）より２〜４ｃｍ前寄りにすると共に２〜４ｃｍ下寄りにしたことを特徴とする請求項１記載のシャツ。
【請求項５】
前記袖（３）を、七部袖、長袖または半袖にしたことを特徴とする請求項１〜４の何れかに記載のシャツ。
【考案の詳細な説明】
【技術分野】
【０００１】
この考案は、要介護者が介護着衣として着用したり、前かがみの姿勢の人が下着として着用するのに適したシャツに関するものである。
【背景技術】
【０００２】
従来のシャツとしては、例えば図５、６に示したように、シャツを中央で二分割して、左側前後身頃部１１と右側前後身頃部１２とからなるものが存在する。左側前後身頃部１１は、左側前身頃部１１ａと左側後身頃部１１ｂとからなり、右側前後身頃部１２は、右側前身頃部１２ａと右側後身頃部１２ｂとからなるものとしている。さらに、左側前身頃部１１ａの側端１３ａと右側前身頃部１２ａの側端１４ａとを係着具１５により着脱自在に連結可能なものとし、左側後身頃部１１ｂの側端１３ｂと右側後身頃部１２ｂの側端１４ｂとを係着具１６により着脱自在に連結可能なものとしている。そして、左側前後身頃部１１は袖１７を有したものとし、右側前後身頃部１２は袖１８を有したものとしている（特許文献１）。
【０００３】
このようにした従来のシャツは、要介護者が腕を伸ばすことなく、しかも寝たままの状態で着用させることができるものとなるので、身体に負担がかからず、さらに介護者が要介護者の身体を抱き上げなくても、また上半身を抱え起こさなくてもよいものとなるので、介護者にとっても少ない労力で容易に着用させることができるとしている。
【特許文献１】実用新案登録第３１２１１９５号公報（第３頁、図１、２）
【考案の開示】
【考案が解決しようとする課題】
【０００４】
しかしながら、上記従来のシャツは、要介護者が身体に負担がかからずに着用することができ、介護者にとっても要介護者に容易に着用させることができるといっても、袖繰りが小さくて袖に腕が通しにくいという問題点を有していた。
【０００５】
さらに、上記従来のシャツは、着用したときに、要介護者の背中が突っ張って、腕の動きが制約されるという問題点を有していた。これは、要介護者が前かがみの姿勢、いわゆる猫背である場合が多いので、このような要介護者が従来のシャツを着用すると、前身頃側には余分な弛みができるが、後身頃に余裕がなくなってしまい、後身頃が張り詰めるためである。
【０００６】
そこで、この考案は、上記従来の問題点を解決するものであり、要介護者に限らず一般の人であっても着用する場合に袖に腕が通しやすいものとし、前かがみの姿勢の人が着用しても背中が突っ張ることなく、腕の動きも制約されることのないシャツを提供することを目的としてなされたものである。
【課題を解決するための手段】
【０００７】
この考案のシャツは、通常の袖繰り５ａの寸法より大きい寸法とし、袖底位置Ｐａを通常の袖底位置Ｐｂより前寄りにすると共に下寄りにした袖繰り３ａとし、この袖繰り３ａに対応するようにして袖３を取り付けたものとしている。
【０００８】
そして、この考案のシャツは、袖３の袖繰り３ａの寸法を、通常の袖５の袖繰り５ａの寸法より５〜１０ｃｍ大きく形成したものとしている。
【０００９】
また、この考案のシャツは、袖繰り３ａの袖底位置Ｐａを、通常の袖繰り５ａの袖底位置Ｐｂより２〜４ｃｍ前寄りにすると共に２〜４ｃｍ下寄りにしたものとしている。
【００１０】
さらに、この考案のシャツは、袖３の袖繰り３ａの寸法を、通常の袖５の袖繰り５ａの寸法より５〜１０ｃｍ大きく形成したものとし、袖繰り３ａの袖底位置Ｐａを、通常の袖繰り５ａの袖底位置Ｐｂより２〜４ｃｍ前寄りにすると共に２〜４ｃｍ下寄りにしたものとしている。
【００１１】
また、この考案のシャツは、袖３を、七部袖、長袖または半袖にしたものとしている。
【考案の効果】
【００１２】
この考案のシャツは、以上に述べたように構成されているので、要介護者に限らず一般の人であっても着用する場合に袖に腕が通しやすいものとなり、前かがみの姿勢の人が着用しても背中が突っ張ることなく、腕の動きも制約されることのないものとなる。
【考案を実施するための最良の形態】
【００１３】
以下、この考案のシャツを実施するための最良の形態を、図面に基づいて詳細に説明する。
【００１４】
この考案のシャツは、図１に示したように、前身頃１、後身頃２及び左右の袖３からなるものとしている。なお、この考案でシャツとは、下着に限らず、下着のうえに中衣として、または上衣がわりに着用する衣服であってもよい。
【００１５】
前身頃１は、図１に示したものでは、中央部で分断し、分断したそれぞれの側端を係着具４により連結自在としたものとし、その中央部を開閉できるようにしているが、図２に示したように、中央部を分断しないものとすることもできる。係着部４は、雄体と雌体からなるものとし、一方を分断した側端の一方に、他方を分断した側端の他方に取り付けものとしている。この係着部４は、面ファスナー、スライドファスナー、ボタン、ホックなどとすることができる。
【００１６】
後身頃２は、図１、２に示したものでは、中央部を分断しないものとしているが、図１に示した前身頃１のように中央部で分断し、分断したそれぞれの側端を係着具により連結自在としたものとし、その中央部を開閉できるようにすることもできる。
【００１７】
すなわち、この考案のシャツは、図１に示したように、前身頃１のみを中央部で分断し、前のみを開閉できるものとしたり、図２に示したように、前身頃１も後身頃２も中央部で分断せず、前後とも開閉できないものとしたり、前身頃１も後身頃２も中央部で分断し、背景技術の特許文献１のように、前後とも開閉できるものとすることができる。
【００１８】
袖３は、図１、２に示したものでは、七部袖にしているが、長袖にしても、半袖にしてもよい。そして、この袖３は、図３、４に示したように、通常の袖繰り５ａの寸法より大きい寸法とし、袖底位置Ｐａを通常の袖底位置Ｐｂより前寄りにすると共に下寄りにした袖繰り３ａに対応するようにして取り付けたものとしている。
【００１９】
すなわち、袖３の袖繰り３ａの寸法は、通常の袖５の袖繰り５ａの寸法より１〜２割、長さにすると５〜１０ｃｍ大きく形成したものとしており、さらに袖繰り３ａの袖底位置Ｐａは、通常の袖繰り５ａの袖底位置Ｐｂより２〜４ｃｍ前寄りにすると共に２〜４ｃｍ下寄りにしたものとしている。このような寸法にすると、この考案のシャツを着用したときに、殆どだぶつくことがなく、ほぼ着用者の身体にフィットした状態となる。
【００２０】
以上のように構成したこの考案のシャツは、袖繰り３ａが大きくなるので、要介護者に限らず一般の人であっても着用をする場合に袖３に腕が通しやすいものとなる。さらに、この考案のシャツは、袖繰り３ａの袖底位置Ｐａの位置が前寄りになると共に下寄りになるので、前身頃は狭くなるが、後身頃が広くなり、前かがみの姿勢の人が着用しても背中が突っ張ることなく、腕の動きも制約されることのないものとなる。
【図面の簡単な説明】
【００２１】
【図１】この考案のシャツの一実施形態を示す正面図である。
【図２】この考案のシャツの他の実施形態を示す正面図である。
【図３】この考案のシャツの袖繰りと通常のシャツの袖繰りの大きさと位置を示す説明図である。
【図４】この考案のシャツと通常のシャツを着用した場合における袖の袖繰りへの取り付け状態を示す説明図である。
【図５】従来の中央部で分断できるシャツの分断状態の正面図である。
【図６】従来の中央部で分断できるシャツの連結状態の正面図である。
【符号の説明】
【００２２】
３  袖
３ａ  袖繰り
５  袖
５ａ  袖繰り
Ｐａ  袖底位置
Ｐｂ  袖底位置
【図１】
0003138400.tif 000003
【図２】
0003138400.tif 000004
【図３】
0003138400.tif 000005
【図４】
0003138400.tif 000006
【図５】
0003138400.tif 000007
【図６】
0003138400.tif 000008